【事件の表示】
　特願２００３−３８８２５４「空気清浄システム及びその制御方法」拒絶査定不服審判事件〔平成１７年　２月１７日出願公開、特開２００５−　４３０３５〕について、次のとおり審決する。
【結　論】
　本件審判の請求は、成り立たない。
【理　由】
第１．手続の経緯
　
　本願は、平成１５年１１月１８日（パリ条約による優先権主張２００３年７月１９日、韓国）の特許出願であって、原審において平成１７年１０月２５日付けで拒絶理由通知がなされ、平成１８年１月２４日付けで意見書及び手続補正書が提出され、平成１８年２月２４日付けで拒絶理由通知がなされ、平成１８年６月７日付けで意見書及び手続補正書が提出され、平成１８年７月７日付けで拒絶理由通知がなされ、平成１８年１０月１０日付けで意見書及び手続補正書が提出され、この平成１８年１０月１０日付け手続補正に対し、平成１８年１０月３０日付けで補正の却下の決定がなされるとともに、同日付けで拒絶査定がなされ（発送日：同年１１月１４日）、これに対し、平成１９年２月１３日付けで拒絶査定不服の審判請求がなされるとともに、同日付けで手続補正がなされたものである。
　
　
　
　
　
第２．補正却下の決定
　
　［補正却下の決定の結論］
　平成１９年２月１３日付けの手続補正を却下する。
　
　［理由］
１．補正後の請求項１に係る発明
　上記平成１９年２月１３日付けの手続補正（以下、「本件補正」という。）により補正された請求項１に係る発明は、明細書及び図面の記載からみて、その特許請求の範囲の請求項１に記載された事項により特定される次のとおりのものである。
「【請求項１】
　換気ユニットと、空気清浄ユニットと、室内空気の二酸化炭素の濃度または室内空気の粉塵の濃度を感知するためのセンサと、上記センサによって感知された室内空気の汚染濃度に応じて複数の運転モードのいずれか一つを決定し、決定された運転モードにしたがって前記換気ユニット及び前記空気清浄ユニットを制御するコントローラとを含む空気清浄システムにおいて、
　前記換気ユニットは、
　室内空気を排出するための排気流路と、
　室外空気を室内に供給するための給気流路と、
　前記排気流路と前記給気流路とが交差する部分に設けられ、室内空気と室外空気との熱交換を行うための伝熱交換機と、
　前記排気流路上に設置された排気ファン用モータ及び排気ファンと、
　室外空気を流入するためのダクトの入口に設置され、当該運転モードに応じて開閉動作を行うダンパーモータ及びモード切換ダンパーと、
　前記給気流路上に設置された給気ファン用モータ及び給気ファンと、
　前記モード切換ダンパーと前記伝熱交換機との間に設けられる異物濾過用フィルタを含み、
　前記空気清浄ユニットは、
　給気流路と、
　前後方に進退可能に設けられ、室内給気を吸入するための吸入口を開閉する吸入口開閉ダンパーと、
　前記吸入口開閉ダンパーの後方に設置され、室内空気に含有された粉塵、細菌及び汚染物質を濾過する脱臭／殺菌フィルタと、
　前記給気流路上に設置され、前記吸入口から吸入されて前記脱臭／殺菌フィルタによって浄化された清浄な空気を室内に供給するための吸入力を発生するための給気ファン用モータ及び給気ファンとを含み、
　前記コントローラは、
　室内空気の汚染濃度が第１設定値以上であれば、換気モードを行い、前記換気モードの遂行によって室内空気の汚染濃度が前記第１設定値より小さい第２設定値以下に減少すれば、前記空気清浄モードに切り換え、前記空気清浄モードの遂行によって室内空気の汚染濃度が前記第２設定値より小さい第３設定値以下に減少すると、前記換気ユニット及び前記空気清浄ユニットの作動を停止させ、待機する停止モードに切り換え、前記停止モードの遂行によって汚染濃度が第３設定値以上に上昇すると前記空気清浄モードを維持することを特徴とする空気清浄システム。」
　
　
２．補正の目的
　本件補正のうち、請求項１に関するものは、補正前の請求項１に記載された「換気ユニット」、「空気清浄ユニット」及び「センサ」を補正前の請求項２ないし７の記載事項により限定するものであって、この補正は平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に係る発明（以下「本願補正発明」という。）が特許出願の際に独立して特許を受けることができるものであるか（平成１８年法律第５５号改正附則第３条第１項によりなお従前の例によるとされる同法による改正前の特許法第１７条の２第５項において準用する同第１２６条第５項の規定に適合するか）について以下に検討する。
　
　
３．引用刊行物
　　刊行物１：特開平１１−２３０４２号公報
　　刊行物２：実願昭６３−６８４７１号（実開平１−１７２６４１号）
　　　　　　　のマイクロフィルム
　　刊行物３：特開平９−２９９７４２号公報
　
　
４．引用刊行物に記載された発明
（１）刊行物１に記載された発明
《記載事項》
　刊行物１には、図面と共に次のａ．〜ｈ．の記載がある。
ａ．「本発明は、
複合換気ユニットに関する
　（段落【０００１】）（なお、下線は当審が付した。以下、同じ。）
　
ｂ．「以下、本発明の実施の形態について図面を参照しながら詳細に説明する。図１は本発明の第１の実施の形態における複合換気ユニットの概略斜視図、図２は本発明の第１の実施の形態における複合換気ユニットの概念図、図３は本発明の第１の実施の形態における複合換気ユニットの断面図、図４は本発明の第１の実施の形態における脱臭装置の要部斜視図、図５は本発明の第１の実施の形態における熱交換器の要部斜視図である。
　図において、１１は複合換気ユニット、１２は室内１３と室外１４とを区画する壁体であり、該壁体１２に前記複合換気ユニット１１が埋設される。該
複合換気ユニット１１は
正面から見て右半分の下部に配設された熱交換部１５、正面から見て右半分の上部に配設された換気部１６、及び正面から見て左半分に配設された空気清浄部１７を有する
複合換気ユニット１１の全体の制御を行う制御装置４３
室内空気中に含まれる塵埃の量を検出する
ダストセンサ等を備えるセンサ部４４を有する
　そして、
前記熱交換部１５に交流式の熱交換器３１が配設される
換気部１６に排気用の換気ファン３２及び吸気用の換気ファン３３が並設させて配設される
空気清浄部１７に
清浄器ファン３９がそれぞれ配設され
　そして、前記複合換気ユニット１１は、室内１３側に向けて形成された室内側パネル２１を有し、該室内側パネル２１における前記空気清浄部１７より下方に、室内空気を吸引するための第１の室内空気吸引口２２が、室内側パネル２１における前記熱交換部１５より下方に室内空気を吸引するための第２の室内空気吸引口２３が、室内側パネル２１における前記空気清浄部１７より上方に空気清浄が行われた後の清浄空気を室内１３に供給するための空気吹出口２４がそれぞれ形成される。また、複合換気ユニット１１は、室外１４側に向けて形成された室外側パネル２５を有し、該外側パネル２５における換気部１６より上方に換気口２６が形成される。なお、該
換気口２６は、室内空気を室外１４に排出するための室内空気排出口２７、室外空気を吸引するための室外空気吸引口２８から成る
　
ｃ．「そして、前記複合換気ユニット１１内には、図２に示すように、第１の室内空気吸引口２２と空気清浄部１７の入口側との間に第１の室内空気吸引部Ｋ１が、第２の室内空気吸引口２３と熱交換部１５の入口側との間に第２の室内空気吸引部Ｋ２が、空気清浄部１７の出口側と空気吹出口２４との間に空気吹出部Ｋ３が、換気部１６の出口側と室内空気排出口２７との間に室内空気排出部Ｋ４が、室外空気吸引口２８と換気部１６の入口側との間に室外空気吸引部Ｋ５がそれぞれ形成される。また、熱交換部１５の出口側と空気清浄部１７の入口側との間に、第１の室内空気吸引口２２から吸引された室内空気と室外空気吸引口２８から吸引された室外空気とを混合させる混合部Ｋ６が形成される。なお、筒状体５１が換気部１６から室外側パネル２５を貫通して室外１４に向けて延び、該筒状体５１内において長手方向に形成された区画板５２によって前記室内空気排出部Ｋ４及び室外空気吸引部Ｋ５が形成される。
　したがって、
清浄器ファン３９を作動させることによって第１の室内空気吸引口２２から吸引された室内空気は、第１の室内空気吸引部Ｋ１を通って混合部Ｋ６に送られ、
空気吹出部Ｋ３を通って空気吹出口２４から吹き出される。
換気ファン３２を作動させることによって第２の室内空気吸引口２３から吸引された室内空気は、第２の室内空気吸引部Ｋ２を通って熱交換部１５に送られ、
換気部１６によって室内空気排出部Ｋ４を通って室内空気排出口２７から排出される
　一方、換気ファン３３を作動させることによって
室外空気吸引口２８から吸引された室外空気は、室外空気吸引部Ｋ５を通って換気部１６に送られ、該換気部１６によって熱交換部１５に送られ
混合部Ｋ６に送られる
更に空気清浄部１７において空気清浄が行われた後
空気吹出部Ｋ３を通って空気吹出口２４から吹き出される
　この場合、室外空気吸引口２８から吸引された室外空気と第１の室内空気吸引口２２から吸引された室内空気とが混合部Ｋ６において混合され、混合体となって空気清浄部１７に送られるようになっているので、室外空気は空気清浄部１７において空気清浄が行われた後に室内１３に吹き出されることになる。したがって、室外空気中に含まれる塵埃、におい物質等が除去されることなく室外空気と共に室内１３に取り込まれてしまうことがないので、室外空気中に塵埃、におい物質等が多く含まれる環境の下でも複合換気ユニット１１を使用することができる。」（段落【００１３】〜【００１６】）
　
ｄ．「次に、前記熱交換器３１について説明する。該熱交換器３１は、図５に示すように、不透湿性材料の両面に吸湿材を被覆することによって形成された複数の伝熱板５３と、該各伝熱板５３の間に配設され、吸湿材から成る波形の間隔板５４とを交互に積層することによってコルゲート状に形成される。そして、該各間隔板５４及び隣接する各伝熱板５３によって、間隔板５４の両側に複数の空気流路５５、５６が交互に形成される。また、前記間隔板５４は、
波形が形成される方向を互いに９０〔°〕異ならせて交互に配設され、その結果、第１の方向に形成される空気流路５５、５６に室内空気を、第２の方向に形成される空気流路５５、５６に室外空気を通すことによって、
熱交換を行う
　
ｅ．「次に、前記集塵装置４０及び脱臭装置４１について説明する。該
集塵装置４０は
塵埃が
除去され
　続いて、集塵が行われた後の混合体は、脱臭装置４１に供給される。該
脱臭装置４１は、
　この場合、前記紫外線照射器３７の下方に第１の触媒装置３６が配設されるので、該第１の触媒装置３６によって紫外線が集塵電極３５に当たるのを防止することができる。したがって、集塵電極３５が劣化するのを抑制することができる。また、前記紫外線照射器３７によって、前記第１、第２の触媒装置３６、３８に紫外線を照射すると、前記第１、第２の触媒装置３６、３８が励起される。そして、光触媒反応によって、混合体中のホルムアルデヒド等の揮発性有機化合物（ＶＯＣ：Ｖｏｌａｔｉｌｅ  Ｏｒｇａｎｉｃ  Ｃｏｍｐｏｕｎｄｓ）、及びアンモニア等の
におい物質は
除去され
　このようにして、集塵装置４０及び脱臭装置４１において、混合体中の塵埃、揮発性有機化合物、におい物質、窒素酸化物、一酸化炭素等を除去するとともに、
細菌、ウィルス等を殺菌して
　
ｆ．「続いて、前記制御装置４３について説明する。図６は本発明の第１の実施の形態における複合換気ユニットの制御回路図である。図において、Ｔはトランス、６１はＣＰＵ、６２は交流電源、
６３は換気ファン３２（図２）を作動させるためのモータ
６４は換気ファン３３を作動させるためのモータ
６５は清浄器ファン３９を作動させるためのモータ
　
ｇ．「まず、操作者は、スイッチ７４（図６）をオンにして、複合換気ユニット１１（図１）を起動し、室内側パネル２１に形成された図示しない入力装置のスイッチ等を操作して運転モードを選択する。本実施の形態において、運転モードとして、空気清浄モード、換気モード及び自動モードを選択することができるようになっている。
　そして、操作者が前記入力装置を操作すると、制御装置４３は、前記入力装置の入力を読み取るとともに、においセンサ４４ａ、温度センサ４４ｂ及び図示しないダストセンサの各センサ出力を読み取ることによって、操作者によって選択された運転モードを判定し、判定結果に基づいて換気ファン３２、３３、清浄器ファン３９、紫外線照射器（ＵＶライト）３７、イオン化電極３４及び集塵電極３５の各出力を順次設定する。
　この場合、前記空気清浄モードが選択されると、換気ファン３２、３３が停止させられ、清浄器ファン３９が作動させられ、前記換気モードが選択されると、換気ファン３２、３３及び清浄器ファン３９が作動させられる。なお、空気清浄モード及び換気モードにおいて、操作者が、設定を「強」、「中」又は「弱」にすると、換気ファン３２、３３及び清浄器ファン３９は「強」、「中」、「弱」等で作動させられ、風量が変化させられる。そして、換気モードにおいて、操作者は「吸気」を設定することができる。この場合、換気ファン３３が停止させられ、換気ファン３２及び清浄器ファン３９が作動させられる。なお、換気ファン３３が停止させられ、換気ファン３２及び清浄器ファン３９が作動させられると、熱交換器３１による熱交換は行われず、温度の低い室外空気が吸引され、室内１３の温度が低くされる。この場合、清浄器ファン３９は「強」で作動させられ、風量が多くされる。
　また、自動モードが選択されると、においセンサ４４ａ、温度センサ４４ｂ及び
ダストセンサの各センサ出力に対応させて、換気ファン３２、３３及び清浄器ファン３９が選択的に作動させられ
　例えば、自動モードにおいて、においが強い場合、においが中程度である場合、及びにおいが弱い場合は、清浄器ファン３９の風量が変化させられて「強」、「中」及び「弱」に切り替えられる。また、自動モードにおいて、室内１３の温度が低い（３５〔℃〕未満）場合は、換気ファン３２、３３が停止させられ、清浄器ファン３９が作動させられる。そして、室内１３の温度が高い（３５〔℃〕以上）場合は、換気ファン３２が停止させられ、換気ファン３３及び清浄器ファン３９が作動させられる。」（段落【００３０】〜【００３４】）
　
ｈ．「次に、本発明の第２の実施の形態について説明する。図１０は本発明の第２の実施の形態における複合換気ユニットの概念図、図１１は本発明の第２の実施の形態における複合換気ユニットの第１の作動状態を示す図、図１２は本発明の第２の実施の形態における複合換気ユニットの第２の作動状態を示す図、図１３は本発明の第２の実施の形態における複合換気ユニットの第３の作動状態を示す図である。なお、第１の実施の形態と同じ構造を有するものについては、同じ符号を付与することによってその説明を省略する。
　この場合、室外空気吸引部Ｋ５に室外１４の温度を検出する温度センサ８１が配設される。また、
空気清浄機能と換気機能とを切り替えるために、第１の室内空気吸引部Ｋ１と混合部Ｋ６との間に切替弁８２が、熱交換部１５と混合部Ｋ６との間に切替弁８３がそれぞれ開閉自在に配設される
切替弁８３を閉鎖して
第１の室内空気吸引口２２から吸引された室内空気だけを空気清浄部１７に送る
切替弁
８３を開放して
第１の室内空気吸引口２２から吸引された室内空気及び室外空気吸引口２８から吸引された室外空気を空気清浄部１７に送る
　また、操作者は、運転モードとして、空気清浄モード、換気モード、空気清浄・換気モード及び自動モードを選択することができるようになっている。そして、
空気清浄モードが選択されると、換気ファン３２、３３が停止させられ、清浄器ファン３９は作動させられる。
空気清浄・換気モードが選択されると、換気ファン３２、３３及び清浄器ファン３９が作動させられる。
　そして、自動モードにおいて、においが強い状態が長時間続くと、
換気ファン３２、３３及び清浄器ファン３９が作動させられ
換気ファン３２、換気ファン３３は停止させられる
　
《発明の認定》
　以上の記載から、刊行物１には、
「換気部１６を右半分の上部に、空気清浄部１７を左半分に、及び熱交換部１５を右半分の下部に有し、室内空気中に含まれる塵埃の量を検出するダストセンサ等を備えるセンサ部４４と、上記センサ部４４の各センサ出力に対応させて換気ファン３２、３３及び清浄器ファン３９が作動する空気清浄・換気モード、及び、換気ファン３２、換気ファン３３は停止し清浄器ファン３９が作動する空気清浄モードのいずれかを選択し制御する制御装置４３とを有する複合換気ユニット１１において、
　前記換気部１６は、
　第２の室内空気吸引口２３より吸引された室内空気が、第２の室内空気吸引部Ｋ２，熱交換部１５，換気部１６，室内空気排出部Ｋ４を経て室内空気排出口２７に至る流路、の一部となり、
　室外空気吸引口２８より吸引された室外空気が、室外空気吸引部Ｋ５，換気部１６，熱交換部１５，混合部Ｋ６，空気清浄部１７及び空気吹出部Ｋ３を経て空気吹出口２４に至る流路、の一部となり、
　前記室外に排出される室内空気及び前記室内に吹き出される室外空気を、前記換気部１６に連通する熱交換部１５に配設された交流式の熱交換器３１の互いに９０°向きの異なる第１の方向及び第２の方向に形成された空気流路５５、５６にそれぞれを通すことにより熱交換し、
　前記換気部１６にモータ６３により作動される排気用の換気ファン３２が配設され、換気ファン３２を作動させることによって前記室内空気は、前記換気部１６を介して室内空気排出部Ｋ４を通って室外に排出され、
　室外空気を吸引するための室外空気吸引口２８を有する換気口２６が形成され、熱交換部１５と混合部Ｋ６との間に開閉自在に配設された切替弁８３を閉鎖して第１の室内空気吸引口２２から吸引された室内空気だけを空気清浄部１７に送る前記空気清浄モードとし、切替弁８３を開放して第１の室内空気吸引口２２から吸引された室内空気及び室外空気吸引口２８から吸引された室外空気を空気清浄部１７に送る空気清浄・換気モードとすることができ、
　前記換気部１６にモータ６４により作動される吸気用の換気ファン３３が配設され、換気ファン３３を作動させることによって前記室外空気が、前記換気部１６を介して熱交換部１５に送られるようになっており、
　前記空気清浄部１７は、
　第１の室内空気吸引口２２から吸引された室内空気を、第１の室内空気吸引部Ｋ１を通って混合部Ｋ６に送った後、前記空気清浄部１７を介して空気吹出部Ｋ３を通って空気吹出口２４から室内に吹き出され、
　前記第１の室内空気吸引部Ｋ１と混合部Ｋ６との間に切替弁８２が開閉自在に配設され、
　前記切替弁８２の後方に配置され、室内空気に含有される塵埃を除去する集塵装置４０、及び、におい物質を除去し細菌等を殺菌する脱臭装置４１が配設され、
　前記混合部Ｋ６に送られた後、前記空気清浄部１７から空気吹出部Ｋ３を通って室内に吹き出される流路中の空気清浄部１７に、モータ６５により作動される清浄器ファン３９が配設され、この清浄器ファン３９を作動させることにより集塵装置４０及び脱臭装置４１で清浄化された空気が空気吹出部Ｋ３を通って空気吹出口２４から室内に吹き出される複合換気ユニット１１。」
なる発明が記載されている。
　
　
（２）刊行物２に記載された発明
《記載事項》
　上記刊行物２には、図面と共に次のａ．〜ｅ．の記載がある。
ａ．「本考案は、
換気機構付き空気清浄機
に関する
　
ｂ．「本考案では、室内空気の一部を室外空気で置換する換気機構付き空気清浄機において、
清浄機本体（１）内に、室内空気の吸込口（１１）と吹出口（１２）とを連通する循環路（１３）
を設けて、
　　　　　　　　　・・・・・
　　　　　（作用）
　しかして前記本体（１）の
吸気口（１１）から吸気された室内空気は
前記循環路（１３）の流通時に
集塵エレメント（２）で塵埃が吸着除去されて、前記吹出口（１２）から室内側に清浄空気として吹出される
　また、前記本体（１）の
排気導入口（１４）から前記排気路（１６）へと導入された室内空気は、前記熱交換器（６）を通過して前記室外排出口（１５）から室外側に排出され
一方前記吸気導入口（１７）から前記吸気路（１８）に導入された室外空気は、
前記熱交換器（６）において、前記室外側に排出される室内空気の一部と
熱交換が行われ
前記集塵エレメント（２）で塵埃が除去された清浄空気と混合されて、前記吹出口（１２）から室内側に吹出される
　また、以上のような空気清浄機において、前記吸気路（１８）の前記循環路（１３）への開放口（１９）を、前記循環ファン（３）の風上側に設けて、前記吸気導入口（１７）から導入する室外空気を前記循還ファン（３）で吸引させるようになすときには、吸気ファンなどを別途必要とすることなく、簡単な構造でもって、前記室外空気の前記循環路（１３）側への供給が可能となるのである。」（第５頁９行〜第８頁１５行）
　
ｃ．「　　　（実施例）
　実施例について、図面を参照して説明する。
　第１図及び第２図は、換気機構付き空気清浄機を示しており、清浄機本体（１）の内部で幅方向一側に、この本体（１）の下部側に設けた吸込口（１１）と、上部正面側に設けた吹出口（１２）とをそれぞれ連通させる循環路（１３）を形成すると共に、前記本体（１）の内部で、前記循環路（１３）の幅方向他方側に、前記吸込口（１１）の近くに設けた室内空気の排気導入口（１４）と、前記吹出口（１２）の側方裏面側に設けた室外排出口（１５）とを連通させる排気路（１６）を形成する。
　また、前記循環路（１３）内における前記吸込口（１１）の近くに、複数の電極（図示せず）から成る電気式の集塵エレメント（２）を配設すると共に、
前記循環路（１３）の上部側に、循環ファン（３）と該循環ファン（３）を回転駆動するためのモ−タ（３ａ）とを配設する
前記排気路（１６）には、前記導入口（１４）から導入された室内空気の一部を前記排出口（１５）へと排出する排気ファン（４）を配設する
　更に、前記本体（１）の上部側で前記室外排出口（１５）の近くに、室外空気を取入れる吸気導入口（１７）を設けると共に、該導入口（１７）と前記循環路（１３）との間に、前記排気路（１６）とは画成された吸気路（１８）を形成して、この
吸気路（１８）の前記循環路（１３）への開放口（１９）に、前記排気ファン（３）と同一モ−タ（Ｍ）で駆動される吸気ファン（５）を設ける
　そして、前記循環路（１３）に至る前記吸気路（１８）の途中部位に、該吸気路（１８）に導入された室外空気と、前記排気路（１６）から室外側に排出される室内空気との間で熱交換を行う熱交換器（６）を介装させる。」（第９頁６行〜第１１頁３行）
　
ｄ．「尚、前記各図の実施例では、前記循環路（１３）の内部で前記集塵エレメント（２）の風上側に、
エアフィルタ（７）
脱臭フィルタ（８）をそれぞれ設け、
　
ｅ．「また、第７図及び第８図に示したごとく、室外空気が導入される前記吸気路（１８）を前記循環路（１３）側に開放させる前記開放口（１９）を、前記循環ファン（３）の風上側に設けて、
前記吸気路（１８）に導入された室外空気を、前記循環ファン（３）の吸引力で前記循環路（１３）側に吸引させるようにしてもよいのであり、斯くするときには、前記した吸気ファン（５）が不要となって、簡単な構造でもって
供給が可能となる
　
《発明の認定》
　以上の記載から、刊行物２には、
「清浄機本体（１）内に、室内空気の吸込口（１１）と吹出口（１２）とを連通する循環路（１３）を設け、
　吸込口（１１）から吸気された室内空気を、エアフィルタ（７），集塵エレメント（２）及び脱臭フィルタ（８）により塵埃や臭気などの除去処理をした後、循環路（１３）を介して吹出口（１２）から室内側に清浄空気として吹出すと共に、吸気導入口（１７）から吸気路（１８）に導入された室外空気を、熱交換器（６）において、排気導入口（１４）から排気路（１６）へ導入され室外排出口（１５）から室外側に排出される室内空気の一部と熱交換し、この熱交換された室外空気を集塵エレメント（２）により塵埃が除去された清浄空気と混合して、前記吹出口（１２）から室内側に吹出す換気機能付き空気清浄機において、
　前記循環路（１３）に、循環ファン（３）と該循環ファン（３）を回転駆動するためのモ−タ（３ａ）とを配設し、
　前記排気路（１６）に、前記導入口（１４）から導入された室内空気の一部を前記排出口（１５）へと排出する排気ファン（４）を配設し、前記吸気路（１８）に、前記排気ファン（４）と同一モ−タ（Ｍ）で駆動される吸気ファン（５）を設けるが、
　前記吸気路（１８）に導入された室外空気を、前記循環ファン（３）の吸引力で前記循環路（１３）側に吸引させ、前記吸気ファン（５）を不要として簡単な構造により給気することも可能な換気機構付き空気清浄機。」
なる発明が記載されている。
　
　
（３）刊行物３に記載された発明
《記載事項》
　上記刊行物３には、図面と共に次のａ．〜ｅ．の記載がある。
ａ．「本発明は、
室内の汚染空気を排出する換気装置と空気中の塵埃等を吸着する空気清浄機の両方の機能を併せ持ち
空気清浄装置に関する
　
ｂ．「図１は、本発明の空気清浄装置を示し、図中１は空気清浄装置、２は室内へ空気を送出する室内吹出口３と外部の空気を取り入れる外部吸入口４とを第１のファン５と空気清浄機６を介して接続する第１のダクト、７は室内の空気を取り入れる室内吸入口８と室内空気を排出する外部排出口９とを第２のファン１０を介して接続する第２のダクト、１１は第１のダクト２と第２のダクト７との交差部分に配設され、室内吹出口３と外部吸入口４及び室内吸入口８と外部排出口９を連通させる換気モード並びに室内吹出口３と室内吸入口８を連通させる内気循環モードを切り換えることのできる切換弁、１２１，１２２　は室内吸入口８の内側に配設され
室内空気の汚染度を検出する塵センサー
塵センサー１２
１
の出力に応じて
　切換弁１１は、略球形に形成してなる第１のダクト２と第２のダクト７との交差部分の中央で、かつ第１のダクト２と第２のダクト７の形成する平面と直交する方向に設けた回動軸１１ａに対して回動自在に軸支される電動式ロータリー弁である。そして、切換弁１１は制御部１３により回動され、図１のＡ−Ａ若しくはＢ−Ｂの位置に切り換えられる。切換弁１１がＡ−Ａに位置すると、室内吹出口３と外部吸入口４を連通させて新鮮な外気を室内に取り入れつつ室内吸入口８と外部排出口９を連通させて汚れた室内空気を外部に排出する換気モードとなり、切換弁１１がＢ−Ｂに位置すると
室内吹出口３と室内吸入口８を連通させ室内の空気を循環しつつ空気清浄機６で空気を清浄する内気循環モード
　
ｃ．「前記空気清浄機６は、フィルターで空気中の塵埃を吸着する簡単な構造のものであってもよいが、電極間に高電圧を印加し塵埃等を静電吸着しつつ電極間の放電により発生するオゾンにより
脱臭、殺菌機能を有する
　上述した構成からなる本発明の空気清浄装置１の動作の一例について説明する。まず、
空気清浄装置１の制御部１３において、塵センサー１２
１　
とガスセンサー１２
２　
からの出力が増大、すなわち室内空気の汚れがひどくなってきた場合に換気モードと内気循環モードとを切り換えるしきい値を各センサー毎に設定する
　このしきい値は
換気モードから内気循環モードへ、及び内気循環モードから換気モードへの両方向についてそれぞれ別個に設定してヒステリシスをもたせてもよい
　
ｄ．「始めに、室内空気が喫煙等で若干汚れている状態では、制御部１３は切換弁１１をＢ−Ｂの位置に固定し内気循環モードとする。この
内気循環モードでは、第１のファン５と第２のファン１０を静かに微弱回転させて室内空気を室内吸入口８から取り入れ、これを空気清浄機６で清浄して室内吹出口３から吹き出す
室内空気が汚れて
　さらに
室内空気が汚れ、塵センサー１２
１　
若しくはガスセンサー１２
２　
の出力が増大して前述したしきい値を越えると、制御部１３は
換気モードとする
換気モードでは、第１のファン５が回転し外部吸入口４から取り入れた新鮮な外気を空気清浄機６で清浄して室内吹出口３から吹き出すとともに、第２のファン１０が回転し汚染した室内空気を室内吸入口８から取り入れこれを外部排出口９から排出する
　この換気モードでは、２つの通風路を用いて汚染した室内空気を排出しつつ新鮮な外気の取り入れを行うことから、従来の単翼型の換気扇による１つの通気口での排気で生じる室内の負圧現象が生じることなく、効率的でスムースな換気を行うことができる。
　つぎに、この効率的でスムースな
換気により室内空気が清浄され
塵センサー１２
１　
の出力が前述したしきい値以下になると、制御部１３は
内気循環モードとする
　また、本発明の空気清浄装置１にあっては、室内吹出口３の上流に空気清浄機６を配置する構成としたことで、内気循環モードで空気を清浄することは勿論のこと、換気モードであっても取り入れた外気を空気清浄機６に通して清浄することができ、これにより外気中の塵埃、自動車の排気ガス、花粉等を除去することが可能となるものである。」（段落【００１５】〜【００１９】）
　
ｅ．図１には、切換弁１１がＡ−Ａに位置する時、外部吸入口４から取り入れた外気を第１のダクト２を介して室内吹出口３から吹き出すとともに、室内空気を室内吸入口８から取り入れこれを第２のダクト７を経て外部排出口９から排出し、切換弁１１がＢ−Ｂに位置する時、室内吹出口３と室内吸入口８を第１のダクト２及び第２のダクト７介して連通させることが図示されている。
　
《発明の認定》
　以上の記載から、刊行物３には、
「室内の汚染空気を排出する換気装置と空気中の塵埃等の吸着、脱臭、殺菌機能を有する空気清浄機の両方の機能を併せ持ち、センサー出力に応じて換気モード及び内気循環モードに切替え、換気モードでは、外部吸入口４から取り入れた新鮮な外気を空気清浄機６で清浄して室内吹出口３から吹き出すとともに、汚染した室内空気を室内吸入口８から取り入れこれを外部排出口９から排出し、内気循環モードでは、室内空気を室内吸入口８から取り入れ、これを空気清浄機６で清浄して室内吹出口３から吹き出す空気清浄装置１であって、
　空気清浄装置１の制御部１３は、内気循環モードで室内空気が汚れ、塵センサー１２１　の出力が増大してしきい値を越えると換気モードとし、換気により室内空気が清浄され塵センサー１２１　の出力がしきい値以下になると内気循環モードとし、このしきい値は換気モードから内気循環モードへ、及び内気循環モードから換気モードへの両方向についてそれぞれ別個に設定してヒステリシスをもたせるようにした空気清浄装置１。」
なる発明が記載されている。
　
　
５．対比
　本願補正発明と、刊行物１に記載された発明とを対比する。
《用語の対応》
　刊行物１に記載された発明の「室内空気中に含まれる塵埃の量を検出するダストセンサ」は、本願補正発明の「室内空気の二酸化炭素の濃度または室内空気の粉塵の濃度を感知するためのセンサ」に相当し、以下同様に、
「空気清浄・換気モード、及び、空気清浄モード」は「複数の運転モード」に、
「制御装置４３」は「コントローラ」に、
「複合換気ユニット１１」は「空気清浄システム」に、
「第２の室内空気吸引口２３より吸引された室内空気が、第２の室内空気吸引部Ｋ２，熱交換部１５，換気部１６，室内空気排出部Ｋ４を経て室内空気排出口２７に至る流路」は「排気流路」に、
「室外空気吸引口２８より吸引された室外空気が、室外空気吸引部Ｋ５，換気部１６，熱交換部１５，混合部Ｋ６，空気清浄部１７及び空気吹出部Ｋ３を経て空気吹出口２４に至る流路」は「給気流路」に、
「熱交換器３１」は「伝熱交換機」に、
「モータ６３により作動される排気用の換気ファン３２」は「排気ファン用モータ及び排気ファン」に、
「モータ６４により作動される吸気用の換気ファン３３」は「給気ファン用モータ及び給気ファン」に、
「モータ６５により作動される清浄器ファン３９」は「浄化された清浄な空気を室内に供給するための吸入力を発生するためのファン用モータ及びファン」に、
にそれぞれ相当する。
　　
《換気ユニット、及び空気清浄ユニットについて》
　刊行物１の上記引用箇所４．（１）ｂ．前半には「・・・図において、・・・該複合換気ユニット１１は、熱交換機能、換気機能及び空気清浄機能を併せ持ち、正面から見て右半分の下部に配設された熱交換部１５、正面から見て右半分の上部に配設された換気部１６、及び正面から見て左半分に配設された空気清浄部１７を有する。」と記載されており、この複合換気ユニット１１の右半分が本願補正発明の換気ユニットに相当し、左半分が本願補正発明の空気清浄ユニットに相当することは明らかである。
　　
《脱臭／殺菌フィルタについて》
　刊行物１に記載された発明における「室内空気に含有される塵埃を除去する集塵装置４０、及び、におい物質を除去し細菌等を殺菌する脱臭装置４１」は、本願補正発明の「室内空気に含有された粉塵、細菌及び汚染物質を濾過する脱臭／殺菌フィルタ」と異なって、フィルタではなく、濾過する機能はない。
　しかし、フィルタも装置の一種であるから、両者は、粉塵、細菌及び汚染物質を除去する脱臭／殺菌装置、である点では共通である。
　　
《モード切換ダンパーについて》
　刊行物１に記載された発明における「切替弁８３」は、その開閉により「空気清浄モード」と「空気清浄・換気モード」とを切り換えるものである。したがって、この「切替弁８３」と、本願補正発明の「モード切換ダンパー」は、モード切換機構、である点では共通である。
　　
《吸入口開閉ダンパーについて》
　刊行物１に記載された発明における「切替弁８２」は、本願補正発明の「吸入口開閉ダンパー」と異なって、吸入口を開閉するものではない。
　しかし、刊行物１に記載された発明の「切替弁８２」も開閉する機構ではあるので、両者は、開閉機構、である点では共通である。
　　
《一致点》
　したがって、本願補正発明と、刊行物１に記載された発明とは、
「換気ユニットと、空気清浄ユニットと、室内空気の二酸化炭素の濃度または室内空気の粉塵の濃度を感知するためのセンサと、上記センサによって感知された室内空気の汚染濃度に応じて複数の運転モードのいずれか一つを決定し、決定された運転モードにしたがって前記換気ユニット及び前記空気清浄ユニットを制御するコントローラとを含む空気清浄システムにおいて、
　前記換気ユニットは、
　室内空気を排出するための排気流路と、
　室外空気を室内に供給するための給気流路と、
　前記排気流路と前記給気流路とが交差する部分に設けられ、室内空気と室外空気との熱交換を行うための伝熱交換機と、
　前記排気流路上に設置された排気ファンと、
　当該運転モードに応じて開閉動作を行うモード切換機構と、
　前記給気流路上に設置された給気ファンと、
　を含み、
　前記空気清浄ユニットは、
　給気流路と、
　室内給気を吸入するための開閉機構と、
　前記開閉機構の後方に設置され、室内空気に含有された粉塵、細菌及び汚染物質を除去する脱臭／殺菌装置、
　とを含む、
　空気清浄システム。」
で一致する。
　
《相違点》
　そして、両発明は下記ＡないしＤの点で相違する。
相違点Ａ：ファンに関して、
　本願補正発明では、前記換気ユニットは、排気流路上に設置された
排気ファン用モータ及び
給気ファン用モータ及び
　前記空気清浄ユニットは、
前記給気流路上に設置され、前記吸入口から吸入されて前記脱臭／殺菌フィルタによって浄化された清浄な空気を室内に供給するための吸入力を発生するための給気ファン用モータ及び給気ファン
　刊行物１に記載された発明では、排気用の換気ファン３２を作動するモータ６３が排気流路上に設置されているか、また、上記給気ファンに相当する吸気用の換気ファン３３を作動するモータ６４が給気流路上に設置されているか、は共に不明であり、この吸気用の換気ファン３３は給気流路上に設置されてはいるが、この換気ファン３３には集塵装置４０及び脱臭装置４１により清浄化された空気を室内に供給するための吸引力を発生する機能がなく、集塵装置４０及び脱臭装置４１はフィルタではない点。
　
相違点Ｂ：モード切換ダンパー及び異物濾過用フィルタに関して、
本願補正発明は、
　
室外空気を流入するためのダクトの入口に設置され、
ダンパーモータ及び
　
前記モード切換ダンパーと前記伝熱交換機との間に設けられる異物濾過用フィルタ、
　刊行物１に記載された発明では、空気清浄モードと空気清浄・換気モードとを切り換える「切替弁８３」が、室外空気を流入するためのダクト（換気口２６）の入口に設置されておらず、この「切替弁８３」がモータにより動作するかは不明であり、また、「切替弁８３」と熱交換器３１との間に異物濾過用のフィルタを有しない点。
　
相違点Ｃ：吸入口開閉ダンパー及び脱臭／殺菌フィルタに関して、
本願補正発明は、
　
前後方に進退可能に設けられ、吸入口を開閉する吸入口開閉ダンパー
吸入口
ダンパー
濾過する
フィルタ
　刊行物１に記載された発明では、「切替弁８２」が、前後方に進退可能に設けられるダンパーではなく、また「切替弁８２」の後方に集塵装置４０及び脱臭装置４１が設けられてはいるものの、「切替弁８２」は吸入口（第１の室内空気吸引口２２）を開閉するものではなく、これらの装置４０，４１はフィルタではないので濾過はしない点。
　
相違点Ｄ：コントローラに関して、
本願補正発明では、
　
前記コントローラは
　
室内空気の汚染濃度が第１設定値以上であれば、換気モードを行い、前記換気モードの遂行によって室内空気の汚染濃度が前記第１設定値より小さい第２設定値以下に減少すれば、前記空気清浄モードに切り換え、前記空気清浄モードの遂行によって室内空気の汚染濃度が前記第２設定値より小さい第３設定値以下に減少すると、前記換気ユニット及び前記空気清浄ユニットの作動を停止させ、待機する停止モードに切り換え、前記停止モードの遂行によって汚染濃度が第３設定値以上に上昇すると前記空気清浄モードを維持する
これに対し、刊行物１に記載された発明では、制御装置４３がこのような制御を行わない点。
　
　
６．判断
《相違点Ａについての検討》
　刊行物２に記載された発明では、「清浄機本体（１）内に、室内空気の吸込口（１１）と吹出口（１２）とを連通する循環路（１３）を設け」、「前記循環路（１３）に循環ファン（３）と該循環ファン（３）を回転駆動するためのモ−タ（３ａ）とを配設し」て、「吸込口（１１）から吸気された室内空気を、エアフィルタ（７），集塵エレメント（２）及び脱臭フィルタ（８）により塵埃や臭気などの除去処理をした後、循環路（１３）を介して吹出口（１２）から室内側に清浄空気として吹出す」のであるから、同発明では、エアフィルタ（７），集塵エレメント（２）及び脱臭フィルタ（８）により塵埃や臭気等が濾過されて、室内空気が浄化されることは明らかであり、循環ファン（３）と該循環ファン（３）を回転駆動するためのモ−タ（３ａ）とは、循環路（１３）に設けられるのだから、吸込口（１１）から吸込まれてエアフィルタ（７），集塵エレメント（２）及び脱臭フィルタ（８）により浄化された室内空気を室内側に供給するための吸入力を発生するために配設されるものであることは自明である。
　また、同発明では、「吸気路（１８）に導入された室外空気を、循環ファン（３）の吸引力で前記循環路（１３）側に吸引させ、吸気ファン（５）を不要として簡単な構造により給気する」ことが可能であり、この場合には、循環ファン（３）が吸気ファン（５）の機能を兼用するのは明らかであり、また、循環ファン（３）と該循環ファン（３）を回転駆動するためのモ−タ（３ａ）とが配設される循環路（１３）が給気路（吸気導入口（１７）から吸気路（１８）に導入された室外空気が吹出口（１２）に至る流路）を兼用するのも明らかであるから、本願補正発明の給気ファンに相当する循環ファン（３）とモ−タ（３ａ）が、給気路に相当する循環路（１３）に配設されることになる。そして、この循環ファン（３）とモ−タ（３ａ）は上記のように集塵エレメント（２）で清浄化された室内空気を室内側に供給するための吸入力を発生するために配設されるものである。
　しかも、このように循環ファン（３）と該循環ファン（３）を回転駆動するためのモ−タ（３ａ）との両方が同一の循環路に配設されることに倣って、刊行物２に記載された発明の排気ファン（４）が配設される排気路（１６）に同ファンを駆動するモータを配設することは格別に困難な事項ではない。
　したがって、刊行物１に記載された発明に、刊行物２に記載された発明を組み合わせ、相違点Ａにおける本願補正発明の構成に到達することは当業者により容易に想到されたことである。
　
《相違点Ｂについての検討》
　室内空気と室外空気とが熱交換する換気装置において、熱交換器の室外空気流入部に異物を除去するフィルタを設けることは従来周知の技術である。（例えば、
＊特開２００１−２８０６５６号公報（第２欄２２〜２４行）
＊特開平６−２６６８５号公報（第３欄３７〜４０行）
＊特開昭６３−１０８１４３号公報（第３頁右上欄７〜１３行）
等を参照。）
　また、熱交換器を流れる空気流をダンパー等の開閉手段により連通、遮断させる場合、開閉手段を上流側に設けるか、下流側に設けるかは適宜選択できる事項であり、その選択に格別の困難性は認めない。
　そうすると、刊行物１に記載された発明では切替弁８３を給気流路における熱交換部１５の下流側に配設しているが、これを上流端である室外空気吸引口２８（換気口２６）の入口に配設し、もって、異物を除去するフィルタの位置を、切替弁８３と熱交換器３１との間とすることに格別の困難性はない。
　しかも、切替弁８３をモータで動作させ、このモータを切替弁８３と同じ場所に設置することにも格別の困難性はない。
　したがって、刊行物１に記載された発明に、周知技術を組み合わせ、上記相違点Ｂにおける本願補正発明の構成に到達することは当業者により容易に想到されたことである。
　
《相違点Ｃについての検討》
　熱交換器を流れる空気流をダンパー等の開閉手段により連通、遮断させる場合、開閉手段を上流側に設けるか、下流側に設けるかは適宜選択できる事項であり、その選択に格別の困難性は認めない。
　そうすると、刊行物１に記載された発明では切替弁８２を給気流路における第１の室内空気吸引部Ｋ１と混合部Ｋ６との間に開閉自在に配設しているが、これを上流端である第１の室内空気吸引口２２に配設し、もって、この吸引口２２を切替弁８２により開閉することに格別の困難性はない。
　また、前後方に進退可能に設けられ、吸入口を開閉する開閉装置は従来周知の技術である。（例えば、
＊特開２００２−２８６２４０号公報（第７欄４８行〜第８欄９行）
＊特開平４−８４０４２号公報（第３頁右上欄２〜７行、同欄最終行〜左下欄５行）
等を参照。）
　そして、上記周知文献における「前面パネル２３」あるいは「パネル５」のような開閉手段をダンパーとすることに格別の困難性はない。
　しかも、上記《相違点Ａについての検討》欄の前半で述べたように、刊行物２に記載された発明において、エアフィルタ（７），集塵エレメント（２）及び脱臭フィルタ（８）により塵埃や臭気等が濾過されることは明らかであり、これに倣って、刊行物１に記載された発明における「室内空気に含有される塵埃を除去する集塵装置４０、及び、におい物質を除去し細菌等を殺菌する脱臭装置４１」を、フィルタの濾過によりこれら塵埃，におい物質，及び細菌等を除去するものとすることに格別の困難性はない。
　したがって、刊行物１に記載された発明に、刊行物２に記載された発明及び周知技術を組み合わせ、上記相違点Ｃにおける本願補正発明の構成に到達することは当業者により容易に想到されたことである。
　
《相違点Ｄについての検討》
　刊行物３に記載された発明は、「内気循環モードでは、室内空気を室内吸入口８から取り入れ、これを空気清浄機６で清浄して室内吹出口３から吹き出す空気清浄装置１」に関するものであり、この「内気循環モード」は本願補正発明の「空気清浄モード」に相当する。
　また、刊行物３に記載された発明は、「空気清浄装置１の制御部１３は、内気循環モードで室内空気が汚れ、塵センサー１２１　の出力が増大してしきい値を越えると換気モードとし、換気により室内空気が清浄され塵センサー１２１　の出力がしきい値以下になると内気循環モードとし、このしきい値は換気モードから内気循環モードへ、及び内気循環モードから換気モードへの両方向についてそれぞれ別個に設定してヒステリシスをもたせるようにした空気清浄装置１。」であり、一般的に換気装置の制御において、ヒステリシスをもたせるに当たり、汚染物質や有害物質等の濃度が換気により低下する場合には、濃度が上昇し換気を開始する場合のしきい値よりも低位のしきい値（設定値）まで換気を継続して濃度を低下させた後に換気を停止するようにすることは従来周知の技術である。（例えば、
＊特開２００１−１１６３０５号公報（第３欄２５〜２９行、第３欄４０〜４９行、第４欄２４〜３１行）
＊特開昭６３−１９７８３７号公報（第２頁左下欄５〜１４行、第５頁左下欄１７〜２０行）
等を参照。）
　しかも、空気清浄機能と換気機能を併せ持つ装置において、換気機能の始動、停止を行う設定値より低い設定値において空気清浄機能を始動、停止することは従来周知の技術である。（例えば、
＊特開平３−１９４３４１号公報（第３頁右上欄８，９行、同欄最終行〜右下欄１９行）
＊特開平２−１８３７４５号公報（第３頁右上欄４，５行、第４頁左上欄１３行〜右上欄１１行、第４頁左下欄３行〜右下欄４行、第４頁右下欄１２〜１７行）
等を参照。）
　そうすると、刊行物３に記載された発明では、制御部１３が、換気モードから内気循環モードへ、及び内気循環モードから換気モードへ切り換える場合、しきい値をそれぞれ別個に設定してヒステリシスをもたせるように制御するが、これを周知技術に倣って、換気により室内空気が清浄され汚染物質や有害物質等の濃度が低下する場合には、濃度が上昇し換気を開始して換気モードとする場合のしきい値よりも低位のしきい値（設定値）まで換気を継続した後に換気を停止して内気循環モードとするようにヒステリシスを具体化した上で、刊行物３に記載された発明の制御部１３による制御を、刊行物１に記載された発明に組み込み、さらに周知技術に倣って、これらのしきい値（設定値）より更に低い設定値において空気清浄機能を停止するようにし、もって、上記相違点Ｄにおける本願補正発明の構成に到達することは当業者により容易に想到されたことである。
　
《発明の効果についての検討》
　本願補正発明の効果は、刊行物１ないし３に記載された発明及び周知技術から、当業者により予測されたものである。
　
　
７．まとめ
　以上のように、本願補正発明は、刊行物１ないし３に記載された発明及び周知技術に基づいて当業者が容易に発明をすることができたものであるから、特許法第２９条第２項の規定により特許出願の際独立して特許を受けることができない。
　したがって、本件補正は、平成１８年法律第５５号改正附則第３条第１項によりなお従前の例によるとされる同法による改正前の特許法第１７条の２第５項において準用する特許法第１２６条第５項の規定に違反するものであり、同法第１５９条第１項の規定において読み替えて準用する同法第５３条第１項の規定により却下すべきものである。
　
　
　
　
　
第３．本願発明についての検討
　
１．本願発明
　平成１９年２月１３日付けの手続補正は、上記のとおり却下されたので、本願の請求項１ないし７に係る発明は、平成１８年６月７日付け手続補正により補正された明細書及び図面の記載からみて、その請求の範囲の請求項１ないし７に記載された事項により特定されるものであり、本願の請求項１に係る発明（以下、「本願発明」という。）は、同請求項１に記載された事項により特定される次のとおりのものである。
「【請求項１】
　換気ユニットと、空気清浄ユニットと、室内空気の汚染濃度を感知するためのセンサと、上記センサによって感知された室内空気の汚染濃度に応じて複数の運転モードのいずれか一つを決定し、決定された運転モードにしたがって前記換気ユニット及び前記空気清浄ユニットを制御するコントローラとを含む空気清浄システムにおいて、
　前記コントローラは、
　室内空気の汚染濃度が第１設定値以上であれば、換気モードを行い、前記換気モードの遂行によって室内空気の汚染濃度が前記第１設定値より小さい第２設定値以下に減少すれば、前記空気清浄モードに切り換え、前記空気清浄モードの遂行によって室内空気の汚染濃度が前記第２設定値より小さい第３設定値以下に減少すると、前記換気ユニット及び前記空気清浄ユニットの作動を停止させ、待機する停止モードに切り換え、前記停止モードの遂行によって汚染濃度が第３設定値以上に上昇すると前記空気清浄モードを維持することを特徴とする空気清浄システム。」
　
　
２．引用刊行物
　原査定の拒絶の理由に引用された刊行物
　　特開平９−２９９７４２号公報（以下「引用刊行物」という。）
　
３．引用刊行物に記載された発明
《記載事項》
　引用刊行物の記載事項は、上記、第２．４．（３）に記載したとおりである。
　
《発明の認定》
　引用刊行物には、
「室内の汚染空気を排出する換気装置と空気中の塵埃等の吸着、脱臭、殺菌機能を有する空気清浄機の両方の機能を併せ持ち、制御部１３が室内空気の汚染度を検出する塵センサー１２１　の出力に応じて切換弁１１を切り換えて換気モード及び内気循環モードを選択し、換気モードでは、第１のファン５が回転し外部吸入口４から取り入れた新鮮な外気を空気清浄機６で清浄して第１のダクト２を介して室内吹出口３から吹き出すとともに、第２のファン１０が回転し汚染した室内空気を室内吸入口８から取り入れこれを第２のダクト７を経て外部排出口９から排出し、内気循環モードでは、室内吹出口３と室内吸入口８を第１のダクト２及び第２のダクト７介して連通させ第１のファン５と第２のファン１０を静かに微弱回転させて室内空気を室内吸入口８から取り入れ、これを空気清浄機６で清浄して室内吹出口３から吹き出す空気清浄装置１であって、
　空気清浄装置１の制御部１３は、内気循環モードで室内空気が汚れ、塵センサー１２１　の出力が増大してしきい値を越えると換気モードとし、換気により室内空気が清浄され塵センサー１２１　の出力がしきい値以下になると内気循環モードとし、このしきい値は換気モードから内気循環モードへ、及び内気循環モードから換気モードへの両方向についてそれぞれ別個に設定してヒステリシスをもたせるようにした空気清浄装置１。」
なる発明が記載されている。
　
　
４．対比
　本願発明と、引用刊行物に記載された発明とを対比する。
《用語の対応》
　引用刊行物に記載された発明の「室内空気の汚染度を検出する塵センサー１２１」は、本願発明の「室内空気の汚染濃度を感知するためのセンサ」に相当し、以下同様に、
「換気モード、及び、内気循還モード」は「複数の運転モード」に、
「制御部１３」は「コントローラ」に、
「空気清浄装置１」は「空気清浄システム」に、
にそれぞれ相当すると認められる。
　　
《換気ユニット、及び空気清浄ユニットについて》
　引用刊行物に記載された発明では「室内の汚染空気を排出する換気装置と空気中の塵埃等の吸着、脱臭、殺菌機能を有する空気清浄機の両方の機能を併せ持ち、・・・空気清浄装置１の制御部１３は、・・・室内空気が汚れ・・・ると換気モードとし、室内空気が清浄されると・・・内気循環モードと」とするものであるが、換気装置の機能を持つ部分、及び空気清浄機の機能を持つ部分がユニットとされていない。
　しかし、本願発明の換気ユニット、及び空気清浄ユニットもそれぞれ換気の機能を持つ部分、及び空気清浄の機能を持つ部分であるから、両発明は、換気の機能を持つ部分、及び空気清浄の機能を持つ部分を有し、これらの部分をコントローラが制御する点では共通である。
　　
《一致点》
　したがって、本願発明と、引用刊行物に記載された発明とは、
「換気の機能を持つ部分と、空気清浄の機能を持つ部分と、室内空気の汚染濃度を感知するためのセンサと、上記センサによって感知された室内空気の汚染濃度に応じて複数の運転モードのいずれか一つを決定し、決定された運転モードにしたがって前記換気の機能を持つ部分及び前記空気清浄の機能を持つ部分を制御するコントローラとを含む空気清浄システム。」
で一致する。
　
《相違点》
　そして、両発明は下記のＡ及びＢの点で相違する。
相違点Ａ：換気ユニット、及び空気清浄ユニットに関して、
本願発明は、「換気ユニットと、空気清浄ユニットと、・・・前記換気ユニット及び前記空気清浄ユニットを制御するコントローラとを含む」が、
引用刊行物に記載された発明は、換気装置の機能を持つ部分、及び空気清浄機の機能を持つ部分を有するが、これらの部分はユニットとされておらず、また、これらのユニットとされたものを制御部１３が制御していない。
　
相違点Ｂ：コントローラに関して、
本願発明では、
　前記コントローラは、
　室内空気の汚染濃度が第１設定値以上であれば、換気モードを行い、前記換気モードの遂行によって室内空気の汚染濃度が前記第１設定値より小さい第２設定値以下に減少すれば、前記空気清浄モードに切り換え、前記空気清浄モードの遂行によって室内空気の汚染濃度が前記第２設定値より小さい第３設定値以下に減少すると、前記換気ユニット及び前記空気清浄ユニットの作動を停止させ、待機する停止モードに切り換え、前記停止モードの遂行によって汚染濃度が第３設定値以上に上昇すると前記空気清浄モードを維持するが、
　引用刊行物に記載された発明では、制御部１３は、内気循環モードで室内空気が汚れ、塵センサー１２１　の出力が増大してしきい値を越えると換気モードとし、換気により室内空気が清浄され塵センサー１２１　の出力がしきい値以下になると内気循環モードとし、このしきい値は換気モードから内気循環モードへ、及び内気循環モードから換気モードへの両方向についてそれぞれ別個に設定してヒステリシスをもたせるようにしてはいるものの、これらの別個のしきい値は、内気循環モードから換気モードへのしきい値より、換気モードから内気循環モードへのしきい値が小さいものではなく、これらのしきい値より更に小さいしきい値以下に塵センサー１２１　の出力が減少すると内気循環モードを停止するものでもない点。
　
　
５．判断
《相違点Ａについての検討》
　空気清浄機能と換気機能を併せ持つ装置において、これらの機能を持つ部分をそれぞれユニット化し、さらに、これらのユニットをコントローラで制御することは従来周知の技術である。（例えば、
＊特開平１１−２３０４２号公報（第２欄４１〜５０行、第８欄２６〜３２行）
＊特開平７−１２００４１号公報（第５欄４４行〜第６欄１２行、第６欄２４〜３９行）
＊実願昭６３−６８４７１号（実開平１−１７２６４１号）のマイクロフィルム（明細書第９頁８〜１８行、同頁１９行〜第１１頁３行）
　したがって、引用刊行物に記載された発明に、周知技術を組み合わせ、上記相違点Ａにおける本願発明の構成に到達することは当業者により容易に想到されたことである。
　
《相違点Ｂについての検討》
　引用刊行物に記載された発明は、「内気循環モードでは、室内空気を室内吸入口８から取り入れ、これを空気清浄機６で清浄して室内吹出口３から吹き出す空気清浄装置１」というものであり、この「内気循環モード」は本願補正後発明の「空気清浄モード」に相当する。
　また、引用刊行物に記載された発明は、「空気清浄装置１の制御部１３は、内気循環モードで室内空気が汚れ、塵センサー１２１　の出力が増大してしきい値を越えると換気モードとし、換気により室内空気が清浄され塵センサー１２１　の出力がしきい値以下になると内気循環モードとし、このしきい値は換気モードから内気循環モードへ、及び内気循環モードから換気モードへの両方向についてそれぞれ別個に設定してヒステリシスをもたせるようにした空気清浄装置１。」であり、一般的に換気装置の制御において、ヒステリシスをもたせるに当たり、汚染物質や有害物質等の濃度が換気により低下する場合には、濃度が上昇し換気を開始する場合のしきい値よりも低位のしきい値（設定値）まで換気を継続して濃度を低下させた後に換気を停止するようにすることは従来周知の技術である。（例えば、
＊特開２００１−１１６３０５号公報（第３欄２５〜２９行、第３欄４０〜４９行、第４欄２４〜３１行）
＊特開昭６３−１９７８３７号公報（第２頁左下欄５〜１４行、第５頁左下欄１７〜２０行）
等を参照。）
　さらに、空気清浄機能と換気機能を併せ持つ装置において、換気機能の始動、停止を行う設定値より低い設定値において空気清浄機能を始動、停止することも従来周知の技術である。（例えば、
＊特開平３−１９４３４１号公報（第３頁右上欄８，９行、同欄最終行〜右下欄１９行）
＊特開平２−１８３７４５号公報（第３頁右上欄４，５行、第４頁左上欄１３行〜右上欄１１行、第４頁左下欄３行〜右下欄４行、第４頁右下欄１２〜１７行）
等を参照。）
　そうすると、引用刊行物に記載された発明では、制御部１３が、換気モードから内気循環モードへ、及び内気循環モードから換気モードへ切り換える場合、しきい値をそれぞれ別個に設定してヒステリシスをもたせるように制御するが、これを周知技術に倣って、換気により室内空気が清浄され汚染物質や有害物質等の濃度が低下する場合には、濃度が上昇し換気を開始して換気モードとする場合のしきい値よりも低位のしきい値（設定値）まで換気を継続した後に換気を停止して内気循環モードとするようにヒステリシスを具体化し、さらに、これらのしきい値（設定値）より更に低い設定値において空気清浄機能を停止するようにし、もって、上記相違点Ｂにおける本願発明の構成に到達することは当業者により容易に想到されたことである。
　
《発明の効果についての検討》
　本願発明の効果は、引用刊行物に記載された発明及び周知技術から、当業者により予測されたものである。
　
　
６．むすび
　以上のとおり、本願発明は、上記の引用刊行物に記載された発明及び周知技術に基づいて当業者が容易に発明をすることができたものであるから、特許法第２９条第２項の規定により特許を受けることができない。
　したがって、請求項２ないし７に係る発明については検討するまでもなく、本願は拒絶すべきものである。
　よって、結論のとおり審決する。